(57)【要約】【課題】簡易な構成及び簡易な操作によって、内容物を飛散させたり漏れ出させたりすることなく、内容物を封入した容器を容易に開封することのできる受皿容器を提供する。【解決手段】受皿１１は、上面開口の周縁部から外側に張り出す受皿側張出し係止部１２を備える。蓋１３は、蓋本体部１３ａから外側に張り出して設けられ、受皿側張出し係止部１２を抱え込んで係止させる蓋側張出し係止部１４を備えると共に、蓋側張出し係止部１４から下方に延設する延設載置部１５を備える。延設載置部１５をコンパクト本体２２の周壁２２ａの上端面２２ｂに当接させて、蓋１３を介して受皿１１をコンパクト本体２２の周壁２２ａに支持させた状態から、蓋１３に押圧力を加えることで、蓋１３の変形により受皿側張出し係止部１２の係止状態を解除させて、受皿１１をコンパクト本体２２の内側に落し込んで装着する。【選択図】図４
2020058953.tif 000002
【特許請求の範囲】
【請求項１】
受皿本体部に内容物を収容した受皿と、該受皿本体部の上面開口を覆って装着される蓋とからなる受皿容器であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことによって、前記受皿を前記蓋から離間させる受皿容器。
【請求項２】
前記受皿本体部に詰め替え用の内容物が収容されており、有底筒形状の被詰替え容器の上面開口から、当該被詰替え容器の内側に前記受皿を装着することによって、内容物を詰め替える詰替え用受皿容器として用いられるようになっており、前記被詰替え容器の周壁の上端部を前記被載置部として、前記延設載置部を当該周壁の上端部に載置することにより、前記蓋を介して前記受皿を前記被詰替え容器の周壁に支持させた状態から、前記蓋に上方から押圧力を加えることで、前記受皿を前記被詰替え容器の内側に落し込んで装着するようになっている請求項１記載の受皿容器。
【請求項３】
前記受皿側張出し係止部の外周形状は、前記被詰替え容器の上面開口の内周形状に納まる形状となっており、前記受皿は、前記受皿側張出し係止部が前記被詰替え容器の上面開口よりも下方に配置されるまで、前記被詰替え容器の内側に落し込まれて装着される請求項２記載の受皿容器。
【請求項４】
前記蓋に上方から押圧力を加えた際に、前記蓋側張出し係止部が変形して、前記受皿側張出し係止部を押し出すことで、前記受皿側張出し係止部の係止状態を解除させる請求項１〜３のいずれか１項記載の受皿容器。
【請求項５】
前記受皿本体部は、上面開口から底壁部に向けて内径を縮径させた、テーパー形状の周壁部を備えている請求項１〜４のいずれか１項記載の受皿容器。
【請求項６】
前記受皿側張出し係止部は、底壁部と周壁部とからなる前記受皿本体部の上面開口の開口周縁部に隣接する周壁上方辺部を含んで形成されており、該周壁上方辺部は、前記蓋本体部と前記蓋側張出し係止部との接続角部又は前記蓋側張出し係止部の内壁部に当接して係止された状態となっている請求項１〜５のいずれか１項記載の受皿容器。
【請求項７】
前記周壁上方辺部は、テーパー形状または垂直形状、もしくはこれらの両形状を含んだ形状を備えている請求項６記載の受皿容器。
【請求項８】
前記蓋側張出し係止部は、前記蓋の他の部分と比較して厚さが薄くなっている請求項１〜７のいずれか１項記載の受皿容器。
【請求項９】
前記蓋は、前記受皿よりも厚さが薄くなっている請求項１〜８のいずれか１項記載の受皿容器。
【請求項１０】
前記蓋の前記蓋本体部に、上方向に盛り上がった押出誘導部が設けられている請求項１〜９のいずれか1項記載の受皿容器。
【請求項１１】
前記蓋に押圧力を加えるための位置を示す、文字、図等によるマーキングが施されている請求項１〜１０いずれか１項記載の受皿容器。
【請求項１２】
前記蓋本体部の周縁部分に、径方向外側に向けて上方に傾斜するテーパー状接続部が形成されており、前記蓋が前記受皿に装着された状態において、該テーパー状接続部と、前記受皿本体部の周壁部の上端部分との間に、空間が保持されている請求項１〜１１いずれか１項記載の受皿容器。
【請求項１３】
前記蓋の前記延設載置部の下端周縁部から外側に張り出して、周縁補強部が設けられている請求項１〜１２いずれか１項記載の受皿容器。
【請求項１４】
前記受皿側張出し係止部は、前記受皿本体部の上面開口の開口周縁部に隣接する周壁上方辺部と、該周壁上方辺部の上端縁部から外側に張り出す張出し辺部と、該張出し辺部の外側縁部から下方に垂下する垂下辺部とを有している請求項１〜１３いずれか１項記載の受皿容器。
【請求項１５】
前記蓋の前記延設載置部に、前記被詰替え容器の周壁の上端部に面状に載置される載置面部が設けられている請求項２〜１４いずれか１項記載の受皿容器。
【請求項１６】
前記載置面部は、周方向に間隔をおいた複数箇所に、下方に突出するリブを備えている請求項１５記載の受皿容器。
【請求項１７】
前記蓋が前記受皿に装着された状態において、前記蓋の前記延設載置部の下端部は、前記受皿の前記受皿本体部の底壁部よりも下方に配置されている請求項１〜１６いずれか１項記載の受皿容器。
【請求項１８】
前記受皿及び前記蓋は、円形状の平面形状を有している請求項１〜１７いずれか１項記載の受皿容器。
【請求項１９】
受皿本体部に内容物が収容される受皿と、該受皿本体部の上面開口を覆って装着される蓋とからなる受皿容器であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことによって、前記受皿を前記蓋から離間させる受皿容器。
【請求項２０】
受皿本体部に詰め替え用の内容物を収容した受皿と、該受皿本体部の上面開口を覆って装着される蓋とからなり、有底筒形状の被詰替え容器の上面開口から、当該被詰替え容器の内側に前記受皿を装着することによって内容物を詰め替える詰替え用受皿容器による、内容物の詰替え方法であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられ、前記被詰替え容器の周壁の上端部に載置される延設載置部を備えており、
該延設載置部を前記被詰替え容器の周壁の上端部に載置することにより、前記蓋を介して前記受皿を前記被詰替え容器の周壁に支持させた状態から、前記蓋に上方から押圧力を加えることで、前記蓋の変形により前記受皿側張出し係止部の係止状態を解除させて、前記受皿を前記被詰替え容器の内側に落し込んで装着する内容物の詰替え方法。
【発明の詳細な説明】
【技術分野】
【０００１】
本発明は、受皿容器及び内容物の詰替え方法に関し、特に、内容物を収容した受皿と、受皿本体部の上面開口を覆って装着される蓋とからなる受皿容器、及び該受皿容器を用いた内容物の詰替え方法に関する。
【背景技術】
【０００２】
近年、各種の液体や粉粒体を収容する合成樹脂製の容器についても、環境負荷の低減が図られるようになっており、使用する樹脂量を減らした薄肉の容器が種々開発されている。また、各種の液体や粉粒体等を内容物として収容する容器として、パウチ等の柔軟な軟包装材による袋状の容器の他、内容物を収容した受皿と、蓋とからなる受皿容器が多く用いられている。受皿容器は、手作業により受皿から蓋を取り外すことによって、受皿本体に封入されていた内容物を使用可能な状態にすることができる。
【０００３】
また、化粧品等の分野においては、例えばファンデーションやパウダー等の粉体を、意匠性に優れた被詰替え容器であるコンパクト容器等に詰め替えることで、高価なコンパクト容器等をその都度廃棄することなく、長期間使用できるようにすることが要望されている。このため、レフィル容器と呼ばれる、詰め替え用の粉体化粧料等を充填した受皿状の容器を、コンパクト容器等の被詰替え容器に容器ごと着脱可能に装着させて、粉体化粧料等の内容物を詰め替えるようにした詰め替え容器が種々開発されている（例えば、特許文献１参照）。
【０００４】
さらに、シンプルなデザインの有底筒形状の外容器に対して、スキンクリームやクレンジングクリーム等の粘度の高いクリーム状の内容物を収容した内容器を、詰め替え用のレフィル容器として着脱交換可能に装着できるようにした二重容器も開発されている（例えば、特許文献２参照）。
【先行技術文献】
【特許文献】
【０００５】
【特許文献１】特開２００３−２１０２４５号公報
【特許文献２】特開２００３−４０３３１号公報
【発明の概要】
【発明が解決しようとする課題】
【０００６】
しかしながら、特許文献１の粉体化粧料等を充填した詰め替え用のレフィル容器では、当該レフィル容器や、コンパクト容器等の被詰替え容器に、レフィル容器を着脱可能に固定しておくための着脱機構を設けたり、レフィル容器の上面開口を覆って網枠や被覆フィルムを取り付けておく必要があることから、これらの容器の構成が複雑になると共に、レフィル容器を被詰替え容器に装着した後に、封入された粉体化粧料等が飛散したり漏れ出たりしないようにしながら、レフィル容器を開封する操作を慎重に行なう必要がある。
【０００７】
また、コンパクト容器等の被詰替え容器は、特許文献２のように、シンプルなデザインの有底筒形状に形成することができると共に、詰め替え容器もまた、有底筒形状の薄肉でシンプルな形状に形成することができるが、この場合も、レフィル容器を被詰替え容器に装着した後に、封入されたクリーム状の内容物が漏れ出たり手に付着したりしないようにしながら、レフィル容器を開封する操作を慎重に行なう必要がある。
【０００８】
本発明は、簡易な構成及び簡易な操作によって、内容物を飛散させたり漏れ出させたりすることなく、内容物を封入した容器を容易に開封することができると共に、詰め替え用の容器として好適に用いることのできる受皿容器、及び内容物の詰替え方法を提供することを目的とする。
【課題を解決するための手段】
【０００９】
本発明は、受皿本体部に内容物を収容した受皿と、該受皿本体部の上面開口を覆って装着される蓋とからなる受皿容器であって、前記受皿は、前記受皿本体部の上面開口の開口周縁部から外側に張り出して設けられた受皿側張出し係止部を備えており、前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことによって、前記受皿を前記蓋から離間させる受皿容器を提供することにより、上記目的を達成したものである。
【００１０】
また、本発明は、受皿本体部に詰め替え用の内容物を収容した受皿と、該受皿本体部の上面開口を覆って装着される蓋とからなり、有底筒形状の被詰替え容器の上面開口から、当該被詰替え容器の内側に前記受皿を装着することによって内容物を詰め替える詰替え用受皿容器による、内容物の詰替え方法であって、前記受皿は、前記受皿本体部の上面開口の開口周縁部から外側に張り出して設けられた受皿側張出し係止部を備えており、前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出しみ係止部から下方に延設して設けられ、前記被詰替え容器の周壁の上端部に載置される延設載置部を備えており、該延設載置部を前記被詰替え容器の周壁の上端部に載置することにより、前記蓋を介して前記受皿を前記被詰替え容器の周壁に支持させた状態から、前記蓋に上方から押圧力を加えることで、前記蓋の変形により前記受皿側張出し係止部の係止状態を解除させて、前記受皿を前記被詰替え容器の内側に落し込んで装着する内容物の詰替え方法を提供することにより、上記目的を達成したものである。
【発明の効果】
【００１１】
本発明の受皿容器又は内容物の詰替え方法によれば、簡易な構成及び簡易な操作によって、内容物を飛散させたり漏れ出させたりすることなく、内容物を封入した容器を容易に開封することができると共に、詰め替え用の容器として好適に用いることができる。
【図面の簡単な説明】
【００１２】
【図１】本発明の好ましい一実施形態に係る受皿容器の斜視図である。
【図２】本発明の好ましい一実施形態に係る受皿容器の分解斜視図である。
【図３】被詰替え容器であるコンパクト容器の分解斜視図である。
【図４】受皿容器を被詰替え容器の周壁に支持させてセットした状態を説明する略示断面図である。
【図５】（ａ）、（ｂ）は、図４の受皿容器を被詰替え容器にセットした状態から、蓋に押圧力を加えて受皿を被詰替え容器の内側に落し込む操作を説明する部分略示断面図である。
【図６】（ａ）、（ｂ）は、他の実施形態の受皿容器を被詰替え容器にセットした状態から、蓋に押圧力を加えて受皿を被詰替え容器の内側に落し込む操作を説明する部分略示断面図である。
【図７】図６の受皿容器を構成する蓋の上面図である。
【図８】（ａ）は、図７のＡ−Ａに沿った略示拡大端面図、（ｂ）は、図７のＢ部の略示拡大破断斜視図である。
【図９】（ａ）、（ｂ）は、更に他の実施形態の受皿容器を被詰替え容器にセットした状態から、蓋に押圧力を加えて受皿を被詰替え容器の内側に落し込む操作を説明する部分略示断面図である。
【図１０】（ａ）、（ｂ）は、更に他の実施形態の受皿容器を被詰替え容器にセットした状態から、蓋に押圧力を加えて受皿を被詰替え容器の内側に落し込む操作を説明する部分略示断面図である。
【図１１】（ａ）、（ｂ）は、更に他の実施形態の受皿容器を被詰替え容器にセットした状態から、蓋に押圧力を加えて受皿を被詰替え容器の内側に落し込む操作を説明する部分略示断面図である。
【図１２】（ａ）、（ｂ）は、更に他の実施形態の受皿容器を被詰替え容器にセットした状態から、蓋に押圧力を加えて受皿を被詰替え容器の内側に落し込む操作を説明する部分略示断面図である。
【図１３】（ａ）、（ｂ）は、更に他の実施形態の受皿容器を、被載置部として平坦な載置面に載置した状態から、蓋に押圧力を加えて受皿を載置面に落し込む操作を説明する部分略示断面図である。
【図１４】（ａ）〜（ｃ）は、受皿の他の形態を例示する略示端面図である。
【図１５】受皿側張出し係止部と蓋側張出し係止部との係止部の、他の形態を例示する部分断面図である。
【図１６】（ａ）は、更に他の実施形態の受皿容器の断面図、（ｂ）は斜め上方から視た斜視図である。
【図１７】図１６の受皿容器を被詰替え容器にセットして蓋に押圧力を加える状態を説明する破断斜視図である。
【図１８】（ａ）〜（ｃ）は、受皿側張出し係止部と蓋側張出し係止部との係止状態を解除する状況を説明する部分断面図である。
【図１９】更に他の形態の受皿容器を被詰替え容器の周壁に支持させてセットした状態の略示断面図である。
【図２０】（ａ）〜（ｃ）は、蓋の他の形態を例示する略示端面図である。
【図２１】延設載置部の載置面部に設けられたリブを説明する、リブが設けられた部分の載置面部を、蓋を上下逆さまにして蓋の内側斜め上方から視た部分斜視図である。
【図２２】受皿容器を収納する外箱の、（ａ）は展開図、（ｂ）は斜視図である。
【図２３】外箱を開封した状態の斜視図、及び位置決め台紙の斜視図である。
【発明を実施するための形態】
【００１３】
図１及び図２に示す本発明の好ましい一実施形態に係る受皿容器１０は、詰め替え用の内容物として、微細な粉体であるファンデーション、粉おしろい、チーク等の粉体化粧料を、被詰替え容器２０として、好ましくはコンパクト容器２１のコンパクト本体２２（図３参照）に詰め替えるための詰替え用受皿容器となっている。本実施形態の受皿容器１０は、好ましくはシンプルなデザインとなっている扁平な有底円筒形状の皿状のコンパクト本体２２に、当該コンパクト本体２２の形状を利用して、好ましくはワンプッシュの簡易な操作によって、粉体化粧料を飛散させたり漏れ出させたりすることなく、容易に詰め替えることができるようにする機能を備える。なお、受皿容器１０に収容される内容物は、粉体化粧料以外の薬剤や調味料等の粉体や、クリーム状やジェル状の物質や、固形物等であっても良い。
【００１４】
そして、本実施形態の受皿容器１０は、受皿本体部１１ａに内容物として例えば粉体化粧料を収容した受皿１１と、受皿本体部１１ａの上面開口を覆って装着される蓋１３とからなる、好ましくは詰め替え用の簡易な容器である。図２及び図４に示すように、受皿１１は、受皿本体部１１ａの上面開口の開口周縁部から外側に張り出して設けられた、張出し係止部である受皿側張出し係止部１２を備えている。蓋１３は、受皿本体部１１ａの上面開口を覆う蓋本体部１３ａから外側に張り出して設けられ、受皿側張出し係止部１２を抱え込んだ状態で係止させる、抱込み係止部である蓋側張出し係止部１４を備えると共に、この蓋側張出し係止部１４から下方に延設して設けられた、係止延設部である延設載置部１５を備えている。図４に示すように、例えばコンパクト容器２１のコンパクト本体２２の周壁２２ａの上端部２２ｂを被載置部として延設載置部１５を載置して、蓋１３を介して受皿１１をコンパクト本体２２の周壁２２ａの上端部２２ｂに支持させた状態から、図５（ａ）、（ｂ）に示すように、蓋１３に上方から押圧力を加えることで、蓋１３の変形により受皿側張出し係止部１２の係止状態を開放させて、言い換えれば蓋１３と受皿側張出し係止部１２との係止状態を解除させて、受皿１１を下方に落とし込むことで蓋１３から離間させ、受皿本体部１１ａの上面開口を開放させるようになっている。
【００１５】
また、本実施形態では、受皿容器１０は、上述のように、受皿１１の受皿本体部１１ａに詰め替え用の内容物として例えば粉体化粧料が収容されており、有底筒形状の被詰替え容器であるコンパクト容器２１のコンパクト本体２２の上面開口から、当該コンパクト本体２２の内側に受皿１１を装着することによって、内容物を詰め替える詰替え用受皿容器として用いられるようになっている。受皿容器１０は、被詰替え容器であるコンパクト容器２１のコンパクト本体２２の周壁２２ａの上端部２２ｂを被載置部として、延設載置部１５を当該周壁２２ａの上端部２２ｂに載置することにより、蓋１３を介して受皿１１をコンパクト容器２１の周壁２２ａに支持させた状態から、図５（ａ）、（ｂ）に示すように、蓋１３に上方から押圧力を加えることで、蓋１３の変形により張出し係止部１２の係止状態を開放させて、受皿１１を、コンパクト容器２１のコンパクト本体２２の内側に落し込んで装着するようになっている。
【００１６】
さらに、本実施形態では、受皿側張出し係止部１２を抱え込んだ状態で係止させる蓋側張出し係止部１４は、後述するように、蓋本体部１３ａとの接続角部１３ｃから上方に立設する内壁部１４ａと、内壁部１４ａの上端縁部から外側に張り出す上壁部１４ｂと、上壁部１４ｂの外側縁部から下方に垂下する外壁部１４ｃとからなる、開放側を下方に向けたコの字断面形状を有している（図４参照）。外壁部１４ｃの下端部から下方に連続して、延設載置部１５が斜め下方に連続して設けられている。ここで、蓋側張出し係止部１４が受皿側張出し係止部１２を抱え込んだ状態は、蓋側張出し係止部１４によって受皿側張出し係止部１２を囲むようにして係止した状態である。
【００１７】
図４において、延設載置部１５は、蓋側張出し係止部１４の外壁部１４ｃからコンパクト本体２２の周壁２２ａまで延設されており、内側に凸となった円弧状、又は直線状の部分を含むように形成することができる。ここで、円弧状は、複数の曲率半径をもつ円弧状であっても良い。例えば図４に、円弧状の部分を含む延設載置部１５を示す。図６（ａ）、（ｂ）に示すように、延設載置部３５と外壁部３４ｃとの接続部分に、係止凸部３４ｄを設けることもできる。係止凸部３４ｄは内側（受皿３１側）に突出して設けられている。
【００１８】
受皿側張出し係止部１２と蓋側張出し係止部１４とによる係止状態は、受皿側張出し係止部１２と蓋側張出し係止部１４の形状による嵌合、受皿側張出し係止部１２と蓋側張出し係止部１４の各接触面の当接や密着による摩擦力、ヒートシールや接着剤や粘着剤による接着等によって得ることができる。接着による係止状態は、低密度ポリエチレン等によるヒートシール、エポキシ樹脂のような熱硬化性樹脂等または溶媒の蒸発による接着剤、又はテープ状接着物質等による接着などによる係止状態が好ましい。受皿側張出し係止部１２と蓋側張出し係止部１４とによる係止状態は、後述するように、蓋１３に上方から押圧力を加えることで、蓋１３の変形によりこれらの係止状態を容易に解除できるように、仮係止状態となっている。
【００１９】
また、本実施形態の受皿容器１０は、受皿側張出し係止部１２の外周形状が、被詰替え容器２０であるコンパクト本体２２の上面開口の内周形状に納まる形状となっている。受皿１１は、図３及び図５（ｂ）に示すように、張出し係止部１２がコンパクト本体２２の上面開口よりも下方に配置されるまで、コンパクト本体２２の内側に落し込まれて装着される。ここで、コンパクト本体２２の上面開口は、コンパクト本体２２の周壁２２ａの上端部２２ｂの内周縁部によって囲まれた領域である。
【００２０】
本実施形態では、受皿容器１０を構成する受皿１１は、図２及び図３に示すように、例えばポリエチレンテレフタレートなどのポリエステル系樹脂、ポリプロピレン系樹脂、ポリスチレン系樹脂、ポリエチレン系樹脂、ポリ乳酸系樹脂等の合成樹脂からなり、例えば０．０２〜０．８ｍｍ程度の薄い肉厚で簡易に形成された成形加工品である。受皿１１は、これらの合成樹脂から単層で構成されていてもよく、多層で構成されていてもよい。受皿１１は、好ましくは内容物を視認できるように、透明なシート成形品となっている。受皿１１は、内容物を収容する受皿本体部１１ａと、受皿側張出し係止部１２とを含んで構成されている。
【００２１】
受皿本体部１１ａは、例えば３０〜２００ｍｍ程度の外径の円形状の平面形状を有すると共に、例えば３０〜２００ｍｍ程度の高さを有する、扁平な有底円筒形状として、倒立した扁平な切頭円錐形状を備えている。すなわち、受皿本体部１１ａは、上面開口から底壁部１１ｃに向けて内径を滑らかに縮径させた、テーパー形状の周壁部１１ｂを備えており、これによって倒立した扁平な切頭円錐形状を形成している。また、受皿本体部１１ａには、これの上面開口の開口周縁部に接続して、受皿側張出し係止部１２が、周方向に円環状に連続して外側に張り出して設けられている。
【００２２】
ここで、受皿本体部１１ａの上面開口は、当該受皿本体部１１ａと受皿側張出し係止部１２との接続部である、周壁部１１ｂの上端部（受皿側張出し係止部１２の周壁上方辺部１２ａ）によって囲まれた領域である。また、受皿１１の平面形状の「円形状」には、略円形も含まれる。略円形には、楕円、長円、一部に直線を有する円等が含まれる。
【００２３】
受皿側張出し係止部１２は、本実施形態では、図４及び図５（ａ）、（ｂ）に示すように、開放側を下方に向けて配置したコの字断面形状を有する張り出し部となっている。すなわち、受皿側張出し係止部１２は、底壁部１１ａと周壁部１１ｂとからなる受皿本体部１１ａの上面開口の開口周縁部に隣接する、周壁上端部である周壁上方辺部１２ａ（図５（ａ）、（ｂ）参照）と、周壁上方辺部１２ａの上端縁部から外側に張り出す張出し辺部１２ｂと、張出し辺部１２ｂの外側縁部から下方に垂下する垂下辺部１２ｃとを備える、開放側を下方に向けたコの字断面形状を有している。受皿側張出し係止部１２は、詰め替え用の粉体化粧料が受皿本体部１１ａに収容された受皿１１を蓋１３に取り付ける際に、蓋側張出し係止部１４の内側に抱え込まれるようにして係止された状態で装着される。これによって、全周に亘って受皿側張出し係止部１２を蓋側張出し係止部１４の内側に装着した状態を保持することが可能になって、受皿本体部１１ａに粉体化粧料が収容された受皿１１と蓋１２とが一体となった、本実施形態の受皿容器１０が形成される。
【００２４】
また、本実施形態では、受皿側張出し係止部１２の垂下辺部１２ｃの下端部から外側に突出して、凸リブ１２ｄが、周方向に連続して環状に設けられている（図２、図４、図５（ａ）、（ｂ）参照）。垂下辺部１２ｃの下端部の凸リブ１２ｄを、蓋１２の延設載置部１５における、内側に凸となった円弧状の延設部１５ａの基端部分に係止することで、受皿側張出し係止部１２と蓋側張出し係止部１４との係止状態を、一層安定させることが可能になる。
【００２５】
また、本実施形態では、受皿側張出し係止部１２は、その外径が、被詰替え容器２０であるコンパクト本体２２の内径よりも、僅かに小さくなるように、受皿本体部１１ａの上面開口の開口周縁部から外側に張り出して設けられている。これによって、受皿本体部１１ａに粉体化粧料が収容された受皿１１を、受皿側張出し係止部１２がコンパクト本体２２の上面開口よりも下方に配置されるまで、コンパクト本体２２の内側に落し込むことが可能になる（図５（ｂ）参照）。
【００２６】
なお、図２、図４、図５（ａ）、（ｂ）等において、受皿１１は、説明の便宜上、受皿本体部１１ａの内部に内容物である詰め替え用の粉体化粧料が収容されていない状態で示されているが、本実施形態では、受皿本体部１１ａには、詰め替え用の粉体化粧料が収容された状態となっている。また、受皿１１に内容物が未だ収容されていない状態の受皿容器１０は、特許請求の範囲の請求項１９の受皿容器に含まれる。
【００２７】
本実施形態では、受皿１１と共に受皿容器１０を構成する蓋１３は、図１及び図２に示すように、例えばポリエチレンテレフタレートなどのポリエステル系樹脂、ポリプロピレン系樹脂、ポリスチレン系樹脂、ポリエチレン系樹脂、ポリ乳酸系樹脂等の合成樹脂からなり、例えば０．０２〜０．８ｍｍ程度の薄い肉厚で簡易に形成された成形加工品である。蓋１３は、これらの合成樹脂から単層で構成されていてもよく、多層で構成されていてもよい。蓋１３は、好ましくは内容物を視認できるように、透明なシート成形品となっている。蓋１３は、例えば５０〜２５０ｍｍ程度の外径の、好ましくは受皿１１と相似形の円形状の平面形状を有すると共に、例えば３０〜２００ｍｍ程度の高さを有する、扁平な立体形状を備えている。本実施形態では、蓋１３は、受皿本体部１１ａの上面開口を覆って配設される蓋本体部１３ａと、蓋本体部１３ａから外側に張り出して設けられた蓋側張出し係止部１４と、好ましくは円弧状に湾曲した断面形状を備える延設部１５ａを有する、蓋側張出し係止部１４から下方に延設して設けられた延設載置部１５とを含んで構成されている。蓋１３は、好ましくは受皿１１よりも厚さが薄くなるように形成することで、より変形し易くすることが可能になる。蓋１３の平面形状の「円形状」には、受皿１１の平面形状と同様に、略円形も含まれる。略円形には、楕円、長円、一部に直線を有する円等が含まれる。
【００２８】
蓋本体部１３ａは、本実施形態では、受皿本体部１１ａの上面開口と同様の大きさの円形の平面形状を備える平板状の部分であり、受皿１１に蓋１３が一体として取り付けられた際に、好ましくは受皿本体部１１ａの上面開口の全体を上方から閉塞して配置される。蓋本体部１３ａの周縁部分には、図４及び図５（ａ）にも示すように、径方向外側に向けて上方に傾斜するテーパー状接続部１３ｂが、全周に亘って形成されている。テーパー状接続部１３ｂは、蓋側張出し係止部１４との接続角部１３ｃを、受皿本体部１１ａの周壁部１１ｂの上端部の、周壁上方辺部１２ａの下端部との接続部に、内側から当接及び係止させてシールさせた状態で設けられている。テーパー状接続部１３ｂを介在させて、蓋側張出し係止部１４が、蓋本体部１３ａの外側に張り出すようにして、連続して形成されている。蓋本体部１３ａの周縁部分に、径方向外側に向けて上方に傾斜するテーパー状接続部１３ｂが全周に亘って形成されていることで、蓋１３が受皿１１に装着された状態において、テーパー状接続部１３ｂと、受皿本体部１１ａの周壁部１１ｂの上端部分との間に、空間が保持される。
【００２９】
蓋側張出し係止部１４は、本実施形態では、受皿側張出し係止部１２を、例えば嵌め込むようにして抱え込んだ状態で固定することができるように、受皿側張出し係止部１２よりも一回り大きな、開放側を下方に向けて配置したコの字断面形状を有する張り出し部となっている。すなわち、蓋側張出し係止部１４は、蓋本体部１３ａのテーパー状接続部１３ｂの上端部の接続角部１３ｃから上方に立設する内壁部１４ａと、内壁部１４ａの上端縁部から外側に張り出す上壁部１４ｂと、上壁部１４ｂの外側縁部から下方に垂下する外壁部１４ｃとからなる、開放側を下方に向けたコの字断面形状を有している。外壁部１４ｃの下端部から下方に連続して、延設載置部１５が斜め下方に連続して設けられている。
【００３０】
また、蓋側張出し係止部１４は、好ましくは蓋１３の他の部分と比較して厚さが薄くなるように形成することで、より変形し易くすることが可能になる。
【００３１】
蓋側張出し係止部１４から下方に延設して設けられた延設載置部１５は、本実施形態では、蓋側張出し係止部１４の外壁部１４ｃの下端縁部から外側に向けて斜め下方に傾斜する、末広がりのテーパー状の延設部１５ａを含んで形成されている。図４及び図５（ａ）、（ｂ）に示すように、延設部１５ａは、内側に凸となった円弧状に形成されている。延設載置部１５の延設部１５ａの下端部には、コンパクト本体２２の周壁２２ａの上端部２２ｂに面状に当接させて載置される、下端当接面部である載置面部１６が設けられている。載置面部１６は、斜め下方又は垂直下方に延設して設けられた延設載置部１５の延設部１５ａから、外側に折れ曲がって設けられている。載置面部１６は、コンパクト本体２２の周壁２２ａの上端部２２ｂの平坦な端面に沿って面接触可能なように、延設部１５ａから、上下方向と垂直な横方向に角度を変化させて張り出して設けられた面状の部分である。載置面部１６は、延設載置部１５の一部として設けられている。
【００３２】
載置面部１６の外周縁部から下方に連設して、開放側を上方に向けたコの字断面形状部分を含む周縁補強部１５ｂが設けられている。周縁補強部１５ｂは、蓋１３の延設載置部１５の下端周縁部から外側に張り出して設けられている。周縁補強部１５ｂは、載置面部１６の外周縁部から下方に延設する内周壁と、内壁部の下端縁部から外側に延設する底壁と、底壁の外周縁部から上方に立設する外周壁とからなる、コの字断面形状部分を有している。周縁補強部１５ｂは、半円等の湾曲形状部分を含む断面形状を有していてもよい。周縁補強部１５ｂの内周壁の内径は、被詰替え容器２０であるコンパクト本体２２の周壁２２ａの上端部２２ｂの外径よりも、僅かに大きくなっている。これによって、図４に示すように、コンパクト本体２２の周壁２２ａに支持させて、コンパクト本体２２の上面開口を覆って受皿容器１０をセットした際に、載置面部１６を、全周に亘ってコンパクト本体２２の周壁２２ａの上端部２２ｂに、面状に容易に当接させることが可能になって、蓋１３を介して安定した状態で受皿１１を支持させることが可能になる。
【００３３】
また、載置面部１６は、周方向に間隔をおいた複数箇所に、図１及び図２に示すように、下方に突出するリブ１６ａを備えていることが好ましい。リブ１６ａは、本実施形態では、図２１にも示すように、載置面部１６の下面から一段下がって形成された、下方に突出する面状の凸リブとなっている。リブ１６ａは、載置面部１６の周方向に間隔をおいて２〜１０箇所に設けられていることが好ましく、３〜６箇所に設けられていることがさらに好ましい。リブ１６ａは、載置面部１６の下面から、例えば０．１〜１．０ｍｍの高さで下方に突出していることが好まく、０．２〜０．５ｍｍの高さで下方に突出していることがさらに好ましい。リブ１６ａは、蓋１３をシート成形によって形成する際に、金型のリブ１６ａと対応する部分に凸部や凹部を設けておくことで、容易に形成することができる。載置面部１６が、周方向に間隔をおいた複数箇所に下方に突出するリブ１６ａを備えていることにより、後述するように、載置面部１６と、コンパクト本体２２の周壁２２ａの上端部２２ｂとの間に、空気流通用の隙間を保持することが可能になる。
【００３４】
本実施形態の受皿容器１０を用いて内容物である粉体化粧料が詰め替えられるコンパクト容器２１は、図３に示すように、被詰替え容器２０となるコンパクト本体２２と、中皿２３と、パフ２４と、図示しないキャップとからなる、意匠性に富んだシンプルなデザインの公知の化粧容器である。
【００３５】
コンパクト本体２２は、扁平な有底円筒形状の皿状の容器となっており、これの上面開口は、好ましくは円形状(略円形を含む)開口形状を有している。コンパクト本体２２の周壁２２ａは、上半部分よりも下半部分の肉厚が大きくなった、２段構造を備えている。周壁２２ａによって囲まれる内側が、粉体化粧料を収容した受皿１１が着脱可能に装着される装着凹部となっている。また周壁２２ａの上半部分の外周面には、雄ネジ突条２２ｃが形成されている。この雄ネジ突条２２ｃを介して、内周面に雌ネジ突条が形成された、図示しないキャップが着脱可能に取り付けられる。なお、図４〜６においては、周壁２２ａの２段構造、及び雄ネジ突条２２ｃの図示を省略した。
【００３６】
中皿２３は、底の浅い扁平な有底円筒形状の皿状の部材となっており、これの底面部には、パフ２４によって掬い取る粉体化粧料の量を調整させる網体２３ａが取り付けられている。中皿２３には、これの上面開口の周縁部から外側に張り出して、張出しフランジ部２３ｂが設けられている。コンパクト本体２２の内側の装着凹部に受皿１１を落とし込んで装着した後に、張出しフランジ部２３ｂをコンパクト本体２２の周壁２２ａの上端面２２ｂに係止することで、粉体化粧料が収容された受皿１１の上方に重ねるようにして、網体２３ａが配置される。また中皿２３の内側に、粉体化粧料を掬い取るパフ２４を収容した状態で、キャップがコンパクト本体２２の上面開口を覆って取り付けられて、これらが一体となったコンパクト容器２１が得られることになる。
【００３７】
そして、コンパクト容器２１のコンパクト本体２２に粉体化粧料を詰め替える際に、上述の構成を備える本実施形態の受皿容器１０が用いられる。受皿容器１０を用いて粉体化粧料を詰め替えるには、図４に示すように、受皿本体１１ａに粉体化粧料が収容された受皿１１に蓋１３が一体として装着された状態で、蓋１３の載置面部１６を、コンパクト本体２２の周壁２２ａの上端部２２ｂに面状に当接させる。これによって、蓋１３を介して受皿１１をコンパクト本体２２の周壁２２ａに支持させて、受皿容器１０をセットする。しかる後に、蓋１３に上方から押圧力を加えれば、図５（ｂ）に示すように、蓋側張出し係止部１４の上壁部１４ｂが蓋１３のテーパー状接続部１３ｂによって押し広げられて、蓋側張出し係止部１４の上壁部１４ｂの内側部分が下方に落ちるように変形する。すなわち、蓋側張出し係止部１４の上壁部１４ｂ及び内壁部１４ａと、蓋本体部１３ａのテーパー状接続部１３ｂとが、これらの間の内側の角度を広げるようにしながら、直線状に配置されるように変形する。これによって、受皿側張出し係止部１２を、蓋側張出し係止部１４の上壁部１４ｂの内側部分によって下方に押し出すようにして、受皿側張出し係止部１２による蓋側張出し係止部１４への係止状態が開放されるので、コンパクト本体２２の上面開口が蓋１３によって覆われた状態のまま、受皿１１がコンパクト本体２２の内側の装着凹部に落し込まれて、スムーズに装着されることになる。
【００３８】
なお、図５（ｂ）において、幅の広い白矢印は、蓋本体部１３ａへの押圧箇所を示しており、幅の狭い白矢印は、蓋側張出し係止部１４が変形する際の動きを説明している。また、蓋本体部１３ａへの押圧箇所に特に制限はないが、蓋側張出し係止部１４を全周に亘って変形し易くする観点から、蓋本体部１３ａの中央部を押圧箇所とすることが好ましい。受皿側張出し係止部１２との係止状態を解除し易くするために、蓋側張出し係止部１４は、上壁部１４ｂの幅よりも、内壁部１４ａの長さを短くすることが好ましい。蓋１３と受皿１１とは、蓋側張出し係止部１４と受皿側張出し係止部１２以外の部分では、接触していないことが好ましい。
【００３９】
受皿側張出し係止部１２と蓋側張出し係止部１４との係止状態が、例えば蓋側張出し係止部１４の上壁部１４ｂと受皿側張出し係止部１２の張出し辺部１２ｂとの間の接着剤による接着によって得られている場合には、蓋側張出し係止部１４の変形により接着層が剥がれることで、係止状態が開放されて、受皿１１がコンパクト本体２２の内側の装着凹部に装着される。
【００４０】
受皿側張出し係止部１２と蓋側張出し係止部１４との係止状態は、上述のように、受皿側張出し係止部１２と蓋側張出し係止部１４の形状による嵌合、受皿側張出し係止部１２と蓋側張出し係止部１４の各接触面の接触や密着による摩擦力、ヒートシールや接着剤や粘着剤による接着等によって得ることができる。接着による係止状態は、低密度ポリエチレン等によるヒートシール、エポキシ樹脂のような熱硬化性樹脂等または溶媒の蒸発による接着剤、テープ状接着物質等による接着などによるものでもよい。係止箇所は、受皿側張出し係止部１２の垂下辺部１２ｃの凸リブ１２ｄによる、蓋１２の延設載置部１５の円弧状の延設部１５ａの基端部分への係止箇所だけではなく、蓋側張出し係止部１４の内周面に形成されるようにしてもよい。例えば、蓋側張出し係止部１４の上壁部１４ｂと受皿側張出し係止部１２の張出し辺部１２ｂとの接触面や、蓋側張出し係止部１４の外壁部１４ｃと受皿側張出し係止部１２の垂下辺部１２ｃとの接触面に、係止箇所を形成してもよい。
【００４１】
これらによって、本実施形態の受皿容器１０によれば、シンプルなデザインの有底筒状の被詰替え容器であるコンパクト本体２２に、蓋１３を介して受皿１１を支持させた状態で当該受皿容器１０をセットした後に、蓋１３に上方から押圧力を加えるだけの簡易な構成及び簡易な操作によって、収容された粉体化粧料を飛散させたり漏れ出させたりすることなく開封できるようにして、粉体化粧料を容易に詰め替えることが可能になる。詳細には、本実施形態の受皿容器１０によれば、受皿本体１１ａに内容物の収容した受皿１１は、被詰替え容器であるコンパクト本体２２の内側の装着凹部に落し込まれて装着されるまでの間、受皿本体１１ａの上面開口及びコンパクト本体２２の上面開口は、蓋１３によって覆われた状態を保持することができるので、内容物である粉体化粧料が飛散等するのを、効果的に防止することが可能になる。
【００４２】
また、本実施形態によれば、蓋本体部１３ａの周縁部分に、径方向外側に向けて上方に傾斜するテーパー状接続部１３ｂが形成されていることで、蓋１３が受皿１１に装着された状態において、テーパー状接続部１３ｂと、受皿本体部１１ａの周壁部１１ｂの上端部分との間に、空間が保持されている。これによって、蓋１３に上方から押圧力を加えた際に、受皿側張出し係止部１２と蓋側張出し係止部１４との係止状態を外し易くすることが可能になると共に、受皿１１の落とし込みを阻害しないようにすることが可能になる。
【００４３】
さらに、本実施形態によれば、蓋１３の延設載置部１５の下端周縁部から外側に張り出して、周縁補強部１５ｂが設けられているので、蓋１３に上方から押圧力を加えた際に、延設載置部１５が広がらないようにすることが可能になる。これによって、例えば受皿側張出し係止部１２の垂下辺部１２ｃの下端部の凸リブ１２ｄが、蓋１２の延設載置部１５の円弧状の延設部１５ａの基端部分に係止していることによる外側嵌合箇所を、解除させ易くすることが可能になる。延設載置部１５に周縁補強部１５ｂが設けられていることにより、例えば側面からの衝撃による、延設載置部１５や蓋側張出し係止部１４の変形を抑制することが可能になるので、搬送中や使用前に受皿容器１０が衝撃を受けて、受皿側張出し係止部１２と蓋側張出し係止部１４との係止状態が不用意に解除されるのを、効果的に回避することが可能になる。
【００４４】
さらにまた、本実施形態によれば、受皿側張出し係止部１２は、受皿本体部１１ａの上面開口の開口周縁部に隣接する周壁上方辺部１２ａと、周壁上方辺部１２ａの上端縁部から外側に張り出す張出し辺部１２ｂと、張出し辺部１２ｂの外側縁部から下方に垂下する垂下辺部１２ｃとを有している。これによって、受皿側張出し係止部１２は、内壁部１４ａと上壁部１４ｂと外壁部１４ｃとを備える蓋側張出し係止部１４との間で、確実な密閉性を確保することが可能になると共に、受皿１１の落とし込みをスムーズに行わせることが可能になる。
【００４５】
また、本実施形態によれば、蓋側張出し係止部１４の延設載置部１５に設けられた載置面部１６は、周方向に間隔をおいた複数箇所に、下方に突出するリブ１６ａを備えている。これによって、当該載置面部１６が面状に載置される、コンパクト本体２２の周壁２２ａの上端部２２ｂとの間に、空気流通用の隙間を保持することが可能になるので、受皿１１が下方に移動する際の、空気の逃げ道や流入路を確保して、コンパクト本体２２の内側の装着凹部に、受皿１１をスムーズに落し込んで装着することが可能になる。
【００４６】
そして、本実施形態の受皿容器１０は、例えば図２２（ａ）に示すような展開形状のボール紙２５を用いて形成された、例えば図２２（ｂ）に示すような外箱２６に、位置決めした状態で収納されて、個装体として製品化することができる。すなわち、外箱２６は、例えば縦横５０〜２５０ｍｍ程度、高さ２０〜２５０ｍｍ程度の大きさの、扁平な六面体形状を有しており、図２３に示すように、内部に位置決め用の位置決め台紙２７を備えている。この位置決め台紙２７を用いて、受皿容器１０を、外箱２６の中央部分に位置決めした状態で、収納できるようになっている。また、外箱２６の上面部には、収納された受皿容器１０の内容物の色等を識別できるようにするための、窓枠部２６ａが開口形成されている。外箱２６の上面部と、対向する一対の側方の側面部との各々の接合角部分に沿って、開封用の破断線２６ｂが設けられている。破断線２６ｂは、前方の側面部側の両側の角部分において上面部を横切った後に、前方の側面部に設けられた摘み部２６ｃの両側の切込み２６ｄに接続している。
【００４７】
位置決め台紙２７は、外箱２６の底面部と同様の平面形状を有する基板部２７ａと、基板部２７ａから立設する４箇所の係止片部２７ｂとを含んで形成されている。係止片部２７ｂは、基板部２７ａの中央部分に形成した正方形状の内側開口を囲う４箇所の開口辺部から、内側に張り出して設けられた張出し片を、開口辺部を折り曲げ線として、基板部２７に対して垂直上方に折り曲げることによって、容易に形成することができる。
【００４８】
位置決め台紙２７は、基板部２７ａを外箱２６の底面部に重ね合わせるようにして、外箱２６の内側に装着される。これによって、位置決め台紙２７は、底面部に対して前後左右に動かない状態で外箱２６に取り付けられる。受皿容器１０は、受皿１１の受皿本体部１１ａの周壁部１１ｂと、蓋１３の延設載置部１５との間隔部分（図４参照）に、位置決め台紙２７の４箇所の係止片部２７ｂを下方から各々差し込んだ状態で、外箱２６の内部に収納される。係止片部２７ｂは、受皿１１の受皿本体部１１ａの底壁部１１ａから、受皿側張出し係止部１２の張出し辺部１２ｂまでの高さと、同様の高さで立設している。また係止片部２７ｂは、基板部２７ａの外側辺部から、蓋１３の蓋側張出し係止部１４の張出し長さよりも、大きく離れた位置に立設している。これらによって、受皿容器１０が外箱２６に収納された状態では、受皿容器１０の外周部分と、外箱２６の四方の側面部との間には、隙間が保持されることになる。これによって、位置決め台紙２７を緩衝材として機能させて、例えば受皿容器１０を収納した個装体が側面部側から落下した際に、受皿容器１０に衝撃が直接伝わるのを、効果的に回避することが可能になる。
【００４９】
個装体を購入した使用者は、指を摘み部２６ｃに係止して、両側の破断線２６ｂを破断させつつ上面部を上方に引き上げることによって、取り出し用の開口を形成した後に、受皿容器１０を取り出して使用することができる。なお、外箱２６は、破断線２６ｂを有していなくてもよく、その他の種々の形態の箱体を外箱として用いることができる。
【００５０】
図６（ａ）、（ｂ）は、本発明の他の実施形態に係る詰替え用受皿容器として用いる受皿容器３０を示すものである。図６（ａ）、（ｂ）の受皿容器３０では、受皿側張出し係止部３２と蓋側張出し係止部３４との係止状態は、蓋側張出し係止部３４の外壁部３４ｃにおける、延設載置部３５との接続基端部の内側面から内側に突出して設けられた係止凸部３４ｄに、受皿側張出し係止部３２の先端部を係止した、外側嵌合箇所のみの係止によるものとなっている。
【００５１】
ここで、係止凸部３４ｄは、蓋３３の周方向に全周に亘って連続して、又は間隔をおいた複数の箇所に、線状のリブとして設けておくことができる。図６（ａ）、（ｂ）の受皿容器３０では、係止凸部３４ｄは、周方向に間隔をおいて８箇所に設けられている（図７参照）。係止凸部３４ｄは、例えば外壁部３４ｃの延設載置部３５との接続基端部を、外側から内側に向けて陥没させることで、外壁部３４ｃの内側面から内側に突出させた状態で容易に形成することができる。このような係止凸部３４ｄは、金型の係止凸部と対応する部分に凸部や凹部を設けておくことにより、蓋３３をシート成形によって形成する際に、容易に形成することができる。また、受皿側張出し係止部３２の先端部と蓋側張出し係止部３４の外壁部３４ｃとの係止状態は、係止凸部３４ｄによるものの他、粘着剤や熱融着、超音波融着などを用いて、受皿側張出し係止部３２の先端部を外壁部３４ｃの内側面に接着することによって得ることもできる。
【００５２】
図６（ａ）、（ｂ）の受皿容器３０では、蓋３３の延設載置部３５の延設部３５ａの内側面を、コンパクト本体２２の周壁２２ａの上端部２２ｂの外側縁部に当接させて、蓋３３を介して受皿３１をコンパクト本体２２の周壁２２ａに支持させることで、受皿容器３０をセットする。しかる後に、蓋３３に上方から押圧力を加えれば、末広がりのテーパー状の延設載置部３５の延設部３５ａが周壁２２ａによって押し広げられて、蓋側張出し係止部３４の外壁部３４ｃが外側に広がるように変形する。これによって、蓋側張出し係止部３４の係止凸部３４ｄと、受皿側張出し係止部３２の先端部との係止状態が解除されるので、コンパクト本体２２の上面開口が蓋３３によって覆われた状態のまま、受皿３１がコンパクト本体２２の内側の装着凹部に落し込まれて、スムーズに装着されることになる。蓋３３から離間された受皿３１は、受皿側張出し係止部３２を、周壁２２ａの上端部２２ｂの端面に面状に当接させて配置される。なお、幅の広い白矢印は、押圧箇所を示す。押圧箇所に特に制限はないが、延設載置部３５の延設部３５ａをよりスムーズに押し広げるため、蓋側張出し係止部３４（の上面）を押圧箇所とすることが好ましい。
【００５３】
また、図６（ａ）、（ｂ）の受皿容器３０では、図７及び図８（ｂ）に示すように、蓋側張出し係止部３４には、周方向に間隔をおいた複数箇所に、下方に陥没させた陥没凹部３４ｅが形成されている。陥没凹部３４ｅは、金型の陥没凹部３４ｅと対応する位置に、凸部や凹部を設けておくことで、蓋３３をシート成形によって形成する際に、容易に設けることができる。蓋側張出し係止部３４に陥没凹部３４ｅが形成されていることにより、延設載置部３５をコンパクト本体２２の周壁２２ａの上端部２２ｂに載置して、受皿容器３０をコンパクト本体２２にセットした後に、蓋３３に上方から押圧力を加えた際に、陥没凹部３４ｅを伸縮部として、蓋側張出し係止部３４を周方向に容易に伸縮変形させることが可能になる。
【００５４】
さらに、図６（ａ）、（ｂ）の受皿容器３０では、図７に示すように、延設載置部３５には、周方向に間隔をおいた複数箇所に、下端縁部または下端縁部の周縁補強部３５ｂから蓋側張出し係止部３４にかけて切り込まれた、切込み部３５ｃが形成されている。延設載置部３５に切込み部３５ｃが形成されていることにより、延設載置部３５をコンパクト本体２２の周壁２２ａの上端部２２ｂに載置して、受皿容器３０をコンパクト本体２２にセットした後に、蓋３３に上方から押圧力を加えた際に、切込み部３５ｃを押し広げるようして、延設載置部３５を周方向に容易に変形させることが可能になる。
【００５５】
ここで、陥没凹部３４ｅと切込み部３５ｃとは、周方向にずれた位置に配置されていることが好ましい。図６（ａ）、（ｂ）の受皿容器３０では、図７に示すように、陥没凹部３４ｅと切込み部３５ｃとは、周方向に４５°ずれた位置に配置されて、各々９０°の等角度間隔をおいて、４箇所ずつ設けられている。陥没凹部３４ｅと切込み部３５ｃとが、周方向にずれた位置に配置されていることにより、これらが連動することによる相乗効果によって、延設載置部３５を周方向にさらに容易に変形させることが可能になる。
【００５６】
図９（ａ）、（ｂ）は、本発明の更に他の実施形態に係る詰替え用受皿容器として用いる受皿容器４０を示すものである。図９（ａ）、（ｂ）の受皿容器４０では、延設載置部４５の延設部４５ａは、外側に向けて斜め下方に直線状に傾斜する、末広がりのテーパー状の延設部となっている。直線状の延設部４５ａの、蓋側張出し係止部４４の外壁部４４ｃとの接続基端部には、係止凸部４４ｄが、内側に突出して設けられている。受皿側張出し係止部４２と蓋側張出し係止部４４との係止状態は、受皿側張出し係止部４２の垂下辺部４２ｃの下端部を、係止凸部４４ｄに係止した、外側嵌合箇所のみの係止によるものとなっている。図９（ａ）、（ｂ）の受皿容器４０では、蓋４３が受皿４１に装着された状態において、蓋４３の延設載置部４５の下端部は、受皿４１の受皿本体部４１ａの底壁部４１ｃよりも下方に配置されている。
【００５７】
また、図９（ａ）、（ｂ）の受皿容器４０では、蓋４３の延設載置部４５の下端部に、周縁補強部４５ｂとの間に介在させて、載置面部４６が設けられている。この載置面部４６を、被詰替え容器２０であるコンパクト本体２２の周壁２２ａの上端部２２ｂに、面状に当接させることにより、さらに安定した状態で、蓋４０を介して受皿４１をコンパクト本体２２の周壁２２ａに支持させて、受皿容器４０をセットすることが可能になる。
【００５８】
図９（ａ）、（ｂ）の受皿容器４０によっても、コンパクト本体２２にセットした後に、蓋４３に上方から押圧力を加えれば、延設載置部４５は、係止凸部４４ｄを中心に回転するようにしながら、周壁２２ａによって押し広げられる。これによって、蓋側張出し係止部４４の延設部４５ａとの接続基端部に設けられた係止凸部４４ｄと、受皿側張出し係止部４２の垂下辺部４２ｃとの係止状態が開放されるので、コンパクト本体２２の内側の装着凹部に受皿４１をスムーズに落し込むことを可能にして、上述の実施形態の受皿容器１０と同様の作用効果が奏される。
【００５９】
図１０（ａ）、（ｂ）は、本発明の更に他の実施形態に係る詰替え用受皿容器として用いる受皿容器５０を示すものである。図１０（ａ）、（ｂ）の受皿容器５０は、図９（ａ）、（ｂ）の詰替え用受皿容器４０と略同様の構成を備えており、蓋５３の延設載置部５５の下端部に、周縁補強部５５ｂとの間に介在させて、載置面部５６が設けられている。また蓋５３の延設載置部５５には、周方向に間隔をおいた複数箇所に、周縁補強部５５ｂが設けられた下端縁部から蓋側張出し係止部５４にかけて切り込まれた、切込み部（図７の符号３５ｃ参照）が形成されている。図１０（ａ）、（ｂ）の受皿容器５０では、蓋５３に上方から押圧力を加えた際に、切込み部を押し広げるようして、延設載置部５５が変形して、載置面部５６がコンパクト本体２２の周壁２２ａの外側に設けられた雄ネジ突条２２ｃに当接するまで、蓋５３が下方に押し込まれると共に、蓋側張出し係止部５４の係止凸部５４ｄと、受皿側張出し係止部５２の垂下辺部５２ｃとの係止状態が開放される。
【００６０】
図１１（ａ）、（ｂ）は、本発明の更に他の実施形態に係る詰替え用受皿容器として用いる受皿容器６０を示すものである。図１１（ａ）、（ｂ）の受皿容器６０では、蓋６３の延設載置部６５は、テーパー状ではなく、直下方向に円筒状に延設する延設部６５ａを備えている。また、蓋側張出し係止部６４の外壁部６４ｃには、外側に凸となるように反転可能な円弧状凸リブ６７が、内側に突出して設けられている。さらに、受皿側張出し係止部６２は、蓋側張出し係止部６４の上壁部６４ｂの下面側に、円弧状凸リブ６７によって係止されるフランジ状張出し係止部６８となっている。
【００６１】
図１１（ａ）、（ｂ）の受皿容器６０によっても、コンパクト本体２２にセットした後に、蓋６３に上方から押圧力を加えれば、円弧状凸リブ６７が外側に反転することで、受皿６１のフランジ状張出し係止部６８との係止状態が開放されるので、上述の実施形態の受皿容器１０と同様の作用効果が奏される。
【００６２】
図１２（ａ）、（ｂ）は、本発明の更に他の実施形態に係る詰替え用受皿容器として用いる受皿容器７０を示すものである。図１２（ａ）、（ｂ）の受皿容器７０では、蓋体本部７３ａに押出リブ７３ｂが、下方に突出して設けられている。蓋７３に上方から押圧力を加えれば、図１２（ｂ）のように蓋体本部７３ａが下方に変形し、押出リブ７３ｂが受皿７１を下方に押し出すことによって、受皿側張出し係止部７２と蓋側張出し係止部７４との係止状態が開放されるので、受皿７１が落し込まれてコンパクト本体２２にスムーズに装着される。図１２（ａ）、（ｂ）の受皿容器７０では、蓋７３が受皿７１に装着された状態において、蓋７３の延設載置部７５の下端部は、受皿７１の受皿本体部７１ａの底壁部７１ｃよりも下方に配置されている。
【００６３】
図１３（ａ）、（ｂ）は、本発明の更に他の実施形態に係る受皿容器８０を示すものである。図１３（ａ）、（ｂ）の受皿容器８０は、図９（ａ）、（ｂ）の受皿容器４０と同様の構成を備えている。図１３（ａ）、（ｂ）の受皿容器８０では、蓋８３の高さの方か受皿８１の高さよりも高くなっており、蓋８３が受皿８１に装着された状態において、蓋８３の延設載置部８５の下端部は、受皿８１の受皿本体部８１ａの底壁部８１ｃよりも下方に配置されている。図１３（ａ）、（ｂ）の受皿容器８０では、受皿８１の受皿本体部８１ａに、詰め替え用の内容物ではなく、例えば使い切り用の化粧クリーム等の化粧料、お惣菜等の食品、弁当用のソースやドレッシング等の調味料などを収容することができる。
【００６４】
図１３（ａ）、（ｂ）の受皿容器８０では、例えば平坦な載置面８９を被載置部として、延設載置部８５を載置し、蓋８３を介して受皿８１を被載置部８９に支持させた状態から（図１３（ａ）参照）、蓋８３に上方から押圧力を加えることで、蓋８３の変形により受皿側張出し係止部８２の蓋側張出し係止部８４への係止状態を解除させ、受皿８１を下方の載置面８９に落し込むことで蓋８３から離間させることにより、受皿本体部８１ａの上面開口を開放させることが可能になる。これによって、簡易な構成及び簡易な操作により、内容物を飛散させたり漏れ出させたりすることなく、内容液を封入した受皿容器８０を容易に開封することが可能になる。
【００６５】
すなわち、本発明の受皿容器は、詰替え用受皿容器以外の、その他の用途に用いることができる。延設載置部８５が載置される被載置部は、テーブルや鏡台の上であったり、食器や調理器具の表面等であっても良い。図１３（ａ）、（ｂ）の受皿容器８０は、図６（ａ）、（ｂ）及び図７に示す受皿容器３０と同様に、蓋側張出し係止部８４の周方向に間隔をおいた複数箇所に、陥没凹部を形成したり、切込み部を形成したりしておくことによって、蓋８３をさらに変形し易くすることが可能になる。これによって、受皿側張出し係止部８２と蓋側張出し係止部８４との係止状態を、よりスムーズに解除させて、受皿本体部８１ａの上面開口を開放させることで、内容物をさらに容易に取り出すことが可能になる。
【００６６】
図１４（ａ）〜（ｃ）は、底壁部１１ａと周壁部１１ｂとからなる受皿本体部１１ａの開口周縁部に隣接する、周壁上方辺部１２ａの形態を例示するものである。周壁上方辺部１２ａは、テーパー形状（（ａ）参照）、又は垂直形状（（ｂ）参照）、若しくはこれらの両形状を含んだ形状（（ｃ）参照）を備えるように形成することができる。これによって、周壁上方辺部１２ａは、蓋１３の蓋本体部１３ａの周縁部分に形成されたテーパー状接続部１３ｂの、蓋側張出し係止部１４との接続角部１３ｃ（図５（ａ）参照）や、蓋側張出し係止部１４の内壁部１４ａを、当該周壁上方辺部１２ａに、内側から安定した状態で当接及び係止させて、内容物を外部に漏らさないシール性を効果的に発揮させることが可能になる。
【００６７】
図１５は、受皿１１’の受皿側張出し係止部１２’と、蓋１３’の蓋側張出し係止部１４’との係止状態の他の形態を例示するものである。受皿側張出し係止部１２’と、蓋側張出し係止部１４’との間に介在して、好ましくは受皿側張出し係止部１２’の張出し辺部１２ｂ’と蓋側張出し係止部１４’の上壁部１４ｂ’との間に挟み込んだ状態で、シール材１７が設けられている。受皿側張出し係止部１２’と、蓋側張出し係止部１４’との間にシール材１７が設けられていることにより、受皿１１’に収容された内容物を外部に漏らさないようにするためのシール性を、さらに効果的に発揮させることが可能になると共に、防湿効果も発揮させることが可能になる。
【００６８】
シール材１７は、低密度ポリエチレン、エポキシ樹脂のような熱硬化性樹脂等、溶媒の蒸発による接着剤等、エラストマーなどのゴム等、シリカゲルのようなゲル状の物質等などを用いて形成することができる。シール材１７は、受皿側張出し係止部１２’及び蓋側張出し係止部１４’の全周に亘って環状に連続して設けてもよく、周方向に間欠的に設けることもできる。
【００６９】
図１６（ａ）、（ｂ）は、本発明の更に他の実施形態に係る詰替え用受皿容器として用いる受皿容器９０を示すものである。図１６（ａ）、（ｂ）の受皿容器９０では、蓋９３の蓋本体部９３ａに、上方向に盛り上がった押出誘導部９７が設けられている。その他の部分については、上記実施形態の受皿容器１０と略同様の構成を備えている。したがって、押出誘導部９７は、上記実施形態の受皿容器１０の蓋本体部１３ａや、その他の実施形態の蓋本体部に設けることもできる。蓋本体部９３ａに、上方向に盛り上がった押出誘導部９７が設けられていることにより、受皿９１（受皿本体部９１ａ）の内容積を大きくすることが可能になる。また、好ましくは蓋本体部９３ａの中央部分に設けられた押出誘導部９７に押圧力を加えるとによって、蓋側張出し係止部９４が均等に下方に押し出されるので、受皿側張出し係止部９２と、蓋側張出し係止部９４との係止状態を開放しやすくなる。
【００７０】
また、蓋９３には、例えば蓋本体部９３ａの押出誘導部９７に、蓋９３に押圧力を加えるための位置を示す、文字や図等によるマーキング９８が施されている。蓋９３にマーキング９８が施されていることにより、使用者が押圧力を加える位置を誘導して、蓋９３と受皿９１との係止状態をよりスムーズに開放させることが可能になる。マーキング９８は、上記実施形態の受皿容器１０の蓋１３や、その他の実施形態の蓋に施すこともできる。
【００７１】
さらに、図１６（ａ）、（ｂ）の受皿容器９０では、受皿側張出し係止部９２は、底壁部９１ｃと周壁部９１ｂとからなる受皿本体９１ａの上面開口の開口周縁部に隣接する、周壁上方辺部９２ａを含んで形成されている。この周壁上方辺部９２ａは、蓋９３の蓋本体部９３ａと蓋側張出し係止部９４との接続角部９３ｃ又は蓋側張出し係止部９４の内壁部９４ａに強固に当接及び係止されて、さらに強固にシールした状態となっている。これによって、内容物をさらに確実に外部に漏らさないようにすることができるようになっている。このような構造は、上記実施形態の受皿容器１０においても採用することができる。
【００７２】
図１６（ａ）、（ｂ）の受皿容器９０では、受皿９１の周壁上方辺部９２ａが、蓋９３の接続角部９３ｃや蓋側張出し係止部９４の内壁部９４ａに、さらに強固に当接及び係止していることで、これらの係止状態が外れ難くなっているが、以下のようにして、受皿９１を蓋９３から容易に離間させて、上面開口を開放させることができる。すなわち、図１７に示すように、受皿側張出し係止部９２を蓋側張出し係止部９４に嵌合係止して、受皿容器９０を被詰替え容器２０にセットした状態では、図１８（ａ）に示すように、受皿側張出し係止部９２の垂下辺部９２ｃの下端部が、蓋側張出し係止部９４の外壁部９４ｃと延設載置部９５との接続部分に係止されており、且つ受皿側張出し係止部９２の周壁上方辺部９２ａが、蓋９３の接続角部９３ｃや、蓋側張出し係止部９４の内壁部９４ａに強固に当接及び係止されている。この状態から、蓋９３の押出誘導部９７に押圧力を加える（図１７参照）。これによって、図１８（ｂ）に示すように、蓋側張出し係止部９４の上壁部９４ｂが下方に傾くように変形することで、周壁上方辺部９２ａによる、接続角部９３ｃや内壁部９４ａへの当接及び係止状態が保持されたまま、受皿側張出し係止部９２の垂下辺部９２ｃの下端部による、蓋側張出し係止部９４の外壁部９４ｃと延設載置部９５との接続部分への係止状態が外れて、受皿側張出し係止部９２が下方に押し込まれる。
【００７３】
しかる後に、蓋９３の押出誘導部９７への押圧を開放すれば、図１８（ｃ）に示すように、蓋側張出し係止部９４の上壁部９４ｂや内壁部９４ａは、上方の元の位置に戻ろうとするが、受皿側張出し係止部９２は、垂下辺部９２ｃの上方への移動が、内側に湾曲する円弧状断面の延設載置部９５の延設部９５ａによって阻止されることで、周壁上方辺部９２ａと、蓋側張出し係止部９４の接続角部９３ｃや内壁部９４ａとの当接及び係止状態が開放されるので、受皿９１を蓋９３からスムーズに取り外して、下方に落とし込むことが可能になる。このような機構は、上記実施形態の受皿容器１０においても採用することができる。
【００７４】
なお、本発明は上記各実施形態に限定されることなく種々の変更が可能である。例えば、受皿本体部に収容される内容物は、ファンデーションやパウダー等の粉体化粧料である必要は必ずしも無く、その他の粉体や粒状体の他、液体や固形物等の、種々の内容物であっても良い。また、受皿は、上面開口から底壁部に向けて内径を縮径させた、テーパー形状の周壁部を備えるものである必要は必ずしも無く、有底円筒形状の受皿等であっても良い。図１９に示すように、係止延設部１５’は、斜め下方に向けてストレートに延設するものであっても良い。さらに、蓋体は、例えば図２０（ａ）〜（ｃ）に示すような、種々の断面形状を備えるものを用いることができる。さらにまた、係止延設部に切込み部を形成する必要は必ずしも無く、抱込み係止部に陥没凹部を形成する必要は必ずしも無い。
【００７５】
上述した一の実施形態における説明の省略部分及び一の実施形態のみが有する要件は、それぞれ他の実施形態に適宜適用することができ、また、各実施形態における要件は、適宜、実施形態間で相互に置換可能である。
【００７６】
上述した本発明の実施態様に関し、更に以下の付記（受皿容器及び内容物の詰替え方法）を開示する。
【００７７】
＜１＞受皿本体部に内容物を収容した受皿と、該受皿本体部の上面開口を覆って装着される蓋とからなる受皿容器であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことによって、前記受皿を前記蓋から離間させる受皿容器。
【００７８】
＜２＞前記受皿本体部に詰め替え用の内容物が収容されており、有底筒形状の被詰替え容器の上面開口から、当該被詰替え容器の内側に前記受皿を装着することによって、内容物を詰め替える詰替え用受皿容器として用いられるようになっており、前記被詰替え容器の周壁の上端部を前記被載置部として、前記延設載置部を当該周壁の上端部に載置することにより、前記蓋を介して前記受皿を前記被詰替え容器の周壁に支持させた状態から、前記蓋に上方から押圧力を加えることで、前記受皿を前記被詰替え容器の内側に落し込んで装着するようになっている前記＜１＞に記載の受皿容器。
＜３＞前記受皿側張出し係止部の外周形状は、前記被詰替え容器の上面開口の内周形状に納まる形状となっており、前記受皿は、前記受皿側張出し係止部が前記被詰替え容器の上面開口よりも下方に配置されるまで、前記被詰替え容器の内側に落し込まれて装着される前記＜２＞に記載の受皿容器。
＜４＞前記蓋に上方から押圧力を加えた際に、前記蓋側張出し係止部が変形して、前記受皿側張出し係止部を押し出すことで、前記受皿側張出し係止部の係止状態を解除させる前記＜１＞又は＜２＞に記載の受皿容器。
＜５＞前記蓋の前記延設載置部には、周方向に間隔をおいた複数箇所に、下端縁部または該下端縁部の周縁補強部から前記蓋側張出し係止部にかけて切り込まれた切込み部が形成されており、前記蓋に上方から押圧力を加えた際に、前記切込み部を押し広げるようして、前記延設載置部が変形する前記＜１＞〜＜４＞のいずれか１に記載の受皿容器。
＜６＞前記蓋に上方から押圧力を加えた際に、前記切込み部を押し広げるようして、前記延設載置部が変形して、前記係止延設部の下部に設けられた下部当接面部が前記被詰替え容器に設けられた雄ネジ突条に当接するまで、前記蓋が押し込まれる前記＜５＞記載の受皿容器。
【００７９】
＜７＞前記蓋の蓋本体部に、前記受皿を押し出すための押し出しリブを設けた前記＜１＞〜＜６＞のいずれか１に記載の受皿容器。
＜８＞前記蓋の前記抱込み係止部には、周方向に間隔をおいた複数箇所に、下方に陥没させた陥没凹部が形成されており、前記蓋に上方から押圧力を加えた際に、前記陥没凹部を伸縮部として前記蓋側張出し係止部を周方向に伸縮変形させる前記＜１＞〜＜７＞のいずれか１に記載の受皿容器。
＜９＞前記受皿本体部は、上面開口から底壁部に向けて内径を縮径させた、テーパー形状の周壁部を備えている前記＜１＞〜＜８＞のいずれか１に記載の受皿容器。
＜１０＞前記受皿側張出し係止部は、底壁部と周壁部とからなる前記受皿本体部の上面開口の開口周縁部に隣接する周壁上方辺部を含んで形成されており、該周壁上方辺部は、前記蓋本体部と前記蓋側張出し係止部との接続角部又は前記蓋側張出し係止部の内壁部に当接して係止された状態となっている前記＜１＞〜＜９＞のいずれか１に記載の受皿容器。
＜１１＞前記周壁上方辺部は、テーパー形状または垂直形状、もしくはこれらの両形状を含んだ形状を備えている前記＜１０＞に記載の受皿容器。
【００８０】
＜１２＞前記蓋側張出し係止部は、前記蓋の他の部分と比較して厚さが薄くなっている前記＜１＞〜＜１１＞のいずれか１に記載の受皿容器。
＜１３＞前記蓋は、前記受皿よりも厚さが薄くなっている前記＜１＞〜＜１２＞のいずれか１に記載の受皿容器。
＜１４＞前記受皿の前記張出し係止部と、前記蓋の前記抱込み係止部との間に介在してシール材が設けられている前記＜１＞〜＜１３＞のいずれか１に記載の詰替え用受皿容器。
＜１５＞前記蓋の前記蓋本体部に、上方向に盛り上がった押出誘導部が設けられている上記＜１＞〜＜１４＞のいずれか1に記載の受皿容器。
＜１６＞前記蓋に押圧力を加えるための位置を示す、文字、図等によるマーキングが施されている前記＜１＞〜＜１５＞のいずれか１に記載の受皿容器。
【００８１】
＜１７＞前記蓋本体部の周縁部分に、径方向外側に向けて上方に傾斜するテーパー状接続部が形成されており、前記蓋が前記受皿に装着された状態において、該テーパー状接続部と、前記受皿本体部の周壁部の上端部分との間に、空間が保持されている前記＜１＞〜＜１６＞のいずれか１に記載の受皿容器。
＜１８＞前記蓋の前記延設載置部の下端周縁部から外側に張り出して、周縁補強部が設けられている前記＜１＞〜＜１７＞のいずれか１に記載の受皿容器。
＜１９＞前記受皿側張出し係止部は、前記受皿本体部の上面開口の開口周縁部に隣接する周壁上方辺部と、該周壁上方辺部の上端縁部から外側に張り出す張出し辺部と、該張出し辺部の外側縁部から下方に垂下する垂下辺部とを有している前記＜１＞〜＜１８＞のいずれか１に記載の受皿容器。
＜２０＞前記蓋の前記延設載置部に、前記被詰替え容器の周壁の上端部に面状に載置される載置面部が設けられている＜２＞〜＜１９＞のいずれか１に記載の受皿容器。
＜２１＞前記載置面部は、周方向に間隔をおいた複数箇所に、下方に突出するリブを備えている前記＜２０＞に記載の受皿容器。
【００８２】
＜２２＞前記蓋が前記受皿に装着された状態において、前記蓋の前記延設載置部の下端部は、前記受皿の前記受皿本体部の底壁部よりも下方に配置されている前記＜１＞〜＜２１＞のいずれか１に記載の受皿容器。
＜２３＞前記受皿及び前記蓋は、円形状の平面形状を有している前記＜１＞〜＜２２＞のいずれか１に記載の受皿容器。
＜２４＞前記受皿側張出し係止部の外周形状は、前記被詰替え容器の上面開口の内周形状に納まる形状となっており、前記受皿は、前記受皿側張出し係止部が前記被詰替え容器の上面開口よりも下方に配置されるまで、前記被詰替え容器の内側に落し込まれて装着される前記＜２＞〜＜２３＞のいずれか１に記載の受皿容器。
＜２５＞前記蓋に上方から押圧力を加えた際に、前記蓋側張出し係止部が変形して、前記受皿側張出し係止部を押し出すことで、前記受皿側張出し係止部の係止状態を解除させる前記＜１＞〜＜２４＞のいずれか１に記載の詰替え用受皿容器。
【００８３】
＜２６＞前記蓋側張出し係止部は、前記蓋本体部との接続角部から上方に立設する内壁部と、該内壁部の上端縁部から外側に張り出す上壁部と、該上壁部の外側縁部から下方に垂下する外壁部を有する前記＜１＞〜＜２５＞のいずれか１に記載の詰替え用受皿容器。
＜２７＞前記延設載置部は、内側に凸となった円弧状の延設部を有する前記＜１＞〜＜２６＞のいずれか１に記載の詰替え用受皿容器。
＜２８＞前記延設載置部は、前記外壁部との接続部分に係止凸部を有する前記＜２６＞に記載の詰替え用受皿容器。
【００８４】
＜２９＞受皿本体部に内容物が収容される受皿と、該受皿本体部の上面開口を覆って装着される蓋とからなる受皿容器であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことで、前記受皿を前記蓋から離間させる受皿容器。
【００８５】
＜３０＞受皿本体部に詰め替え用の内容物を収容した受皿と、該受皿本体部の上面開口を覆って装着される蓋とからなり、有底筒形状の被詰替え容器の上面開口から、当該被詰替え容器の内側に前記受皿を装着することによって内容物を詰め替える詰替え用受皿容器による、内容物の詰替え方法であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられ、前記被詰替え容器の周壁の上端部に載置される延設載置部を備えており、
該延設載置部を前記被詰替え容器の周壁の上端部に載置することにより、前記蓋を介して前記受皿を前記被詰替え容器の周壁に支持させた状態から、前記蓋に上方から押圧力を加えることで、前記蓋の変形により前記受皿側張出し係止部の係止状態を解除させて、前記受皿を前記被詰替え容器の内側に落し込んで装着する内容物の詰替え方法。
【符号の説明】
【００８６】
１０，３０，４０，５０，６０，７０，８０，９０  受皿容器（詰替え用受皿容器）
１１，３１，４１，５１，６１，７１，８１，９１  受皿
１１ａ  受皿本体部
１１ｂ  周壁部
１１ｃ  底壁部
１２，３２，４２，５２，６２，７２，９２  受皿側張出し係止部（張出し係止部）
１２ａ  周壁上方辺部（周壁上端部）
１２ｂ，１２ｂ’  張出し辺部
１２ｃ，４２ｃ，５２ｃ  垂下辺部
１３，３３，４３，５３，６３，７３，８３，９３  蓋
１３ａ，７３ａ  蓋本体部
１３ｂ  テーパー状接続部
１３ｃ  接続角部
１４，３４，４４，５４，６４，７４，９４  蓋側張出し係止部（抱込み係止部）
１４ｂ，１４ｂ’，９４ｂ  上壁部
１４ｃ，９４ｃ  外壁部
３４ｄ，４４ｄ  係止凸部
１５，３５，４５，５５，６５  延設載置部（係止延設部）
１５ａ，３５ａ，６５ａ  延設部
１５ｂ，３５ｂ，４５ｂ，５５ｂ  周縁補強部
１６，４６、５６  載置面部（下端当接面部）
１７  シール材
２０  被詰め替え容器
２１  コンパクト容器
２２  コンパクト本体（被詰替え容器）
２２ａ  周壁
２２ｂ  上端面
２２ｃ  雄ネジ凸条
２３  中皿
２３ａ  網体
２４  パフ
３４ｅ  陥没凹部
３５ｃ  切込み部
７３ｂ  押出リブ
９７  押出誘導部
９８  マーキング
【図１】
2020058953.tif 000003
【図２】
2020058953.tif 000004
【図３】
2020058953.tif 000005
【図４】
2020058953.tif 000006
【図５】
2020058953.tif 000007
【図６】
2020058953.tif 000008
【図７】
2020058953.tif 000009
【図８】
2020058953.tif 000010
【図９】
2020058953.tif 000011
【図１０】
2020058953.tif 000012
【図１１】
2020058953.tif 000013
【図１２】
2020058953.tif 000014
【図１３】
2020058953.tif 000015
【図１４】
2020058953.tif 000016
【図１５】
2020058953.tif 000017
【図１６】
2020058953.tif 000018
【図１７】
2020058953.tif 000019
【図１８】
2020058953.tif 000020
【図１９】
2020058953.tif 000021
【図２０】
2020058953.tif 000022
【図２１】
2020058953.tif 000023
【図２２】
2020058953.tif 000024
【図２３】
2020058953.tif 000025
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
受皿本体部に内容物を収容した受皿と、該受皿本体部の上面開口を覆って装着される蓋とからなる受皿容器であって、
前記受皿は、前記受皿本体部の上面開口の開口周縁部から外側に張り出して設けられた受皿側張出し係止部を備えており、
前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
該延設載置部を被載置部に載置して、前記蓋を介して前記受皿を前記被載置部に支持させた状態から、前記蓋に上方から押圧力を加えることで、前記蓋の変形により前記受皿側張出し係止部の係止状態を解除させて、前記受皿を下方に落し込むことによって、前記受皿を前記蓋から離間させる受皿容器。